(57)【要約】      （修正有）【課題】コンピュータ周辺装置内へ容易に収容でき、かつユーザによる取り出しを容易にするために、高い収容性及びユーザによる無線受信器の取り出し時の利便性を兼ね備える無線受信器を提供する。【解決手段】コンピュータの接続ポートに挿設可能な無線受信器１であって、先端側に、上方に向けられた収容空間が下方へ凹没して形成された収容ベース１１、前記収容ベース１１の後端部に回動可能に設けられた握り部材１２とを有する搭載本体と、前記収容ベース１１の前記収容空間に収容され、回路板と、前記回路板の頂面に設けられ、前記接続ポートに電気的に接続するための複数の端子とを有し、コンピュータ周辺装置の信号を受信するための無線受信素子２０とを備える。【選択図】図２
0003171294.tif 000002
【実用新案登録請求の範囲】
【請求項１】
コンピュータの接続ポートに挿設可能な無線受信器であって、
先端側の下方に、上方に向けられた収容空間が凹没して形成された収容ベースと、前記収容ベースの後端部に回動可能に設けられた握り部材とを有する搭載本体と、
前記収容ベースの前記収容空間に収容され、回路板と、前記回路板の頂面に設けられ、  前記接続ポートに電気的に接続するための複数の端子とを有し、コンピュータ周辺装置の信号を受信するための無線受信素子と、
を備えることを特徴とする無線受信器。
【請求項２】
前記収容ベースは、前壁と、後壁と、前記前壁及び前記後壁にそれぞれ接続された一対の側壁とを有し、前記前壁、後壁及び側壁により前記収容空間が画成されていることを特徴とする請求項１に記載の無線受信器。
【請求項３】
前記握り部材の底縁と前記後壁の底縁とは、一体形成により接続されていることを特徴とする請求項２に記載の無線受信器。
【請求項４】
前記収容ベースの前記後壁の頂端部には、係合凹溝と、前記係合凹溝内に位置する係合突出部とが形成され、前記握り部材には、前記係合突出部に係合されるとともに前記係合凹溝に収容される係合板が突出して設けられていることを特徴とする請求項２又は３に記載の無線受信器。
【請求項５】
前記握り部材には、前記係合板に隣接して貫通した緩衝槽がさらに形成されることを特徴とする請求項４に記載の無線受信器。
【請求項６】
前記後壁の底面には、前記握り部材を前記収容ベースとほぼ平行となるように位置決めするための下ストップブロックが下方へ突出して設けられていることを特徴とする請求項２ないし５のいずれかに記載の無線受信器。
【請求項７】
前記前壁及び前記後壁の内側面には、前記回路板を支持するための少なくとも１つの頂ブロックが突出して設けられていることを特徴とする請求項２ないし６のいずれかに記載の無線受信器。
【請求項８】
前記収容ベースに固定されるストッパー片がそれぞれ形成された一対の側壁を有するハウジングをさらに含み、
前記収容ベースは、前記収容ベースの前記一対の側壁の局所から上方へ延在する一対の側結合壁と、前記一対の側結合壁に接続された頂結合壁とを有する結合部をさらに含み、
前記一対の側結合壁には、前記ストッパー片に対応する係合槽がそれぞれ形成されていることを特徴とする請求項１ないし７のいずれかに記載の無線受信器。
【請求項９】
前記頂結合壁には少なくとも１つの係合貫通孔が形成され、前記ハウジングの頂壁には前記係合貫通孔に挿入される少なくとも１つのストッパー片が形成されていることを特徴とする請求項８に記載の無線受信器。
【請求項１０】
前記結合部の前記後壁側には、その外周側に突出して設けられ、前記ハウジングの後端に当接する位置決め部をさらに含むことを特徴とする請求項８又は９に記載の無線受信器。
【請求項１１】
前記無線受信素子は、さらに前記回路板に設けられた接地回路を有し、
前記ハウジングの前記一対の側壁には、さらに前記無線受信素子の前記回路板に当接して、前記接地回路に前記ハウジングを電気的に接続する圧接突出部が内方へ突出して設けられていることを特徴とする請求項８ないし１０のいずれかに記載の無線受信器。
【請求項１２】
前記握り部材は、前記収容ベースに対して分離可能に枢接されていることを特徴とする請求項１ないし１１に記載の無線受信器。
【考案の詳細な説明】
【技術分野】
【０００１】
本考案は、無線受信器に関し、特にコンピュータの接続ポートに挿設可能であり、コンピュータ周辺装置の無線信号を受信するための無線受信器に関するものである。
【背景技術】
【０００２】
現在、コンピュータ周辺装置は、無線接続の方向へ発展しており、無線受信器をコンピュータの接続ポートに挿設し、コンピュータ周辺装置の無線信号を受信するのが一般的であり、ユニバーサル・シリアル・バス（Ｕｎｉｖｅｒｓａｌ  Ｓｅｒｉａｌ  Ｂｕｓ、ＵＳＢ）型がよく見られる。さらに、収容性を高めるために、無線受信器の大きさはますます小さくなり、コンピュータ周辺装置、例えばマウス内に収容できるだけの大きさとなっている。
【０００３】
しかしながら、上述の無線受信器の小型化に伴って、ユーザが利用し難くなるという欠点もある。例えば、無線受信器がコンピュータの接続ポートに挿設された場合において、露出する部分が小さすぎるため、ユーザがその露出部分を手で把持して無線受信器を取り出す際に、取り出しが容易ではない。そこで、仮に無線受信器の後端側を大きくすると、コンピュータ周辺装置への収容が困難となる。
【０００４】
従って、高い収容性と、ユーザによる無線受信器の取り出し時の利便性とを兼ね備えることが極めて重要な課題となっている。
【考案の概要】
【考案が解決しようとする課題】
【０００５】
そこで、本考案は、コンピュータ周辺装置内へ容易に収容でき、かつユーザによる取り出しを容易にするために、高い収容性と、ユーザによる無線受信器の取り出し時の利便性とを兼ね備える無線受信器を提供することを目的とする。
【課題を解決するための手段】
【０００６】
上述の問題を解決するために、本考案は、コンピュータの接続ポートに挿設可能な無線受信器であって、先端側の下方に、上方に向けられた収容空間が凹没して形成された収容ベースと、前記収容ベースの後端部に回動可能に設けられた握り部材とを有する搭載本体と、前記収容ベースの前記収容空間に収容され、回路板と、前記回路板の頂面に設けられる前記接続ポートに電気的に接続するための複数の端子とを有し、コンピュータ周辺装置の信号を受信するための無線受信素子とを備えることを特徴とする無線受信器を提供する。
【考案の効果】
【０００７】
本考案に係る無線受信器は、少なくとも無線受信器が未使用時又はコンピュータに挿設されている場合において、握り部材を収容ベースに接近させた収容状態にできる利点を有する。無線受信器の大きさが小さければ、収容や搬送に有利である。ユーザは、本考案に係る無線受信器をコンピュータから取り出す場合に、握り部材を手指で操作して収容ベースに接近した状態から外方向へ回動させることにより、握り部材を手指で把持することができるようになる。これにより無線受信器に対して力を加えやすくなり、無線受信器を容易に取り出すことができる。
【図面の簡単な説明】
【０００８】
【図１】本考案に係る無線受信器の立体分解図である。
【図２】本考案に係る無線受信器の立体組立図である。
【図３】本考案に係る無線受信器の他の立体組立図である。
【図４】本考案に係る無線受信器（収容状態）の立体組立図である。
【図５】本考案に係る無線受信器の断面図である。
【図６】本考案に係る無線受信器の他の実施例の断面図である。
【考案を実施するための形態】
【０００９】
（第１の実施例）
以下、本考案の目的、構造、特徴及び効果がより容易に理解できるように実施例に基づいて詳しく説明する。
【００１０】
図１は、本考案に係る無線受信器の立体分解図である。本考案に係る無線受信器１の先端側は、コンピュータの接続ポート（図示せず）、例えばユニバーサルシリアルバス（Ｕｎｉｖｅｒｓａｌ  Ｓｅｒｉａｌ  Ｂｕｓ、ＵＳＢ）に挿設され、コンピュータ周辺装置、例えばマウス又はキーボードの無線信号を受信する。この無線受信器１は、少なくとも搭載本体１０と、無線受信素子２０とを含み、本実施例においてはさらに金属からなるハウジング３０を含む。ハウジング３０は、無線受信器の接地及び遮蔽の機能を果たす。
【００１１】
前記搭載本体１０は、収容ベース１１と、収容ベース１１の後端部に回動（回転移動）可能に設けられた握り部材１２とを有する。収容ベース１１の先端側には、上方に向けて開口した収容空間１１０が凹没して形成されており、無線受信素子２０の収容に用いられる。前記収容ベース１１は、具体的には、前壁１３と、後壁１７と、該前壁１３と該後壁１７とにそれぞれ接続された一対の側壁１５とからなり、前記無線受信素子２０を収容するための収容空間１１０を画成している。無線受信素子２０は、回路板２２と、回路板２２の頂面（上面）に設けられ、コンピュータのＵＳＢ接続ポートに電気的に接続される端子２４とを有し、コンピュータ周辺装置（図示せず）の信号を受信する。また、回路板２２には、必要とされる電子素子（図示せず）が設けられている。
【００１２】
本実施例における握り部材１２の一方の底縁は、収容ベース１１の後端の底縁に接続され、握り部材１２が上下に回転可能となっている。一方、握り部材１２の他方の底縁、即ち頂縁は、収容ベース１１の後端の頂縁に係合可能となっている。また、前記握り部材１２は、その底縁が後壁１７の底縁に一体成形されている。このような構成の搭載本体１０は、プラスチック射出成形により形成可能である。プラスチック射出成形によれば、金型が一つですむため、コスト及び製造時間が節約され、また、射出時に搭載本体１０が一体に形成されるため、組み立てる必要がなく、組み立ての手間をかけずにすむ。このような搭載本体１０の構成材料には、高靭性があり、繰り返し屈曲可能なプラスチック材料、例えばポリプロピレン（ｐｏｌｙｐｒｏｐｙｌｅｎｅ、ＰＰ）を用いることが好ましい。
【００１３】
図２〜図４は、それぞれ、本考案に係る無線受信器の立体組立図である。本実施例では、収容ベース１１の後壁１７には、その頂端部に係合凹溝１７０が形成され、該係合凹溝１７０内に係合突出部１７２が設けられている。一方、握り部材１２の頂縁には、係合突出部１７２に係合可能な係合板１２２が突出して設けられている。係合板１２２が係合凹溝１７０内に収容され、係合突出部１７２に係合することにより、握り部材１２は収容ベース１１に係合により固定される。図４に示すように、本考案に係る無線受信器１が未使用時又はコンピュータに挿入されている場合は、握り部材１２が収容ベース１１に接近して係合した収容状態（係合状態）となっており、収容ベース１１の後壁１７に接触（密着）している。無線受信器１は小さければ、コンピュータ周辺装置、例えばマウス、キーボードに容易に収容できるため、収容や搬送に有利である。
【００１４】
ユーザが本考案に係る無線受信器１をコンピュータから引き出す（取り外す）場合は、図２又は図３に示すように、手指で握り部材１２の頂面を操作して後方へ回動させることにより、握り部材１２が収容ベース１１に接触した状態から収容ベース１１から離間した状態に至らせることができる。これにより、手指で握り部材１２を把持できるようになり、無線受信器１に力を容易に加えて、無線受信器１を引き出すことができる。また、本実施例における握り部材１２には、係合板１２２に隣接して貫通した緩衝槽（緩衝孔）１２４がさらに形成されている。緩衝槽１２４により、係合板１２２は弾力性を有し、係合突出部１７２に着脱可能となる。さらに、本実施例においては、ユーザの操作が容易になるように、握り部材１２は、回動された後に（収容ベース１１から離間した状態で）水平位置に、即ち収容ベース１１とほぼ平行となるように位置決めされる。図２を図１に併せて参照して、収容ベース１１の後壁１７の底面には、さらに握り部材１２を収容ベース１１とほぼ平行となるように位置決めするための下ストップブロックが下方へ突出して設けられている。言い換えれば、この様な位置に握り部材１２を位置決めできることで、ユーザがいつでも握り部材１２を把持することが可能となる。
【００１５】
さらに図１を参照して、本実施例の無線受信器１のハウジング３０は、収容ベース１１の先端部に固定されている。ハウジング３０は、方形に折り曲げられた金属板で構成されている。ハウジング３０の外周部には収容ベース１１に係合するための複数のストッパー片３２２及び３２４が内方かつ前方へ向けて形成される。また、本実施例における収容ベース１１は、収容ベース１１の一対の側壁１５の局所から上方へ延在する一対の側結合壁１６２と、一対の側結合壁１６２に接続された頂結合壁１６４とを有する結合部１６をさらに含む。ハウジング３０は、ストッパー片３２２がそれぞれ形成された一対の側壁３２を有し、一対の側結合壁１６２にはストッパー片３２２にそれぞれ対応する係合槽（係合溝）１６２０が形成されている。ハウジング３０の頂壁３４には一対のストッパー片３４２が形成され、頂結合壁１６４には対応するストッパー片３４２がそれぞれ挿入される一対の係合貫通孔１６４０が形成されている。
【００１６】
本実施例は、結合部１６の後壁１７側には、その外周に突出して設けられ、ハウジング３０の後端に当接する位置決め部１６８をさらに含む。
【００１７】
搭載本体１０とハウジング３０とを組み立てる際に、収容ベース１１を水平方向に沿ってハウジング３０内に挿入し、後壁１７とハウジング３０とが接近するように移動させると、ストッパー片３２２及び３４２が結合部１６によって押し広げられる。そして、位置決め部１６８がハウジング３０に当接した時、ストッパー片３２２及び３４２は、弾性変形して係合槽１６２０及び係合貫通孔１６４０内に挿入される。これにより、ハウジング３０の収容ベース１１から離間する方向への移動が阻止され、完全に収容ベース１１に固定される。
【００１８】
図５は、本考案に係る無線受信器の断面図である。本実施例における無線受信素子２０は、収容ベース１１の前壁１３の内側面に突出して設けられた頂ブロック１３２と、後壁１７の内側面に設けられる回路板２２を支持するための頂ブロック１７６とにより収容ベース１１に対して固定されている。無線受信素子２０の頂面を固定するために、後壁１７の内側面には、回路板２２の頂面に当接するストップブロック１７８が内方へ突出して設けられている。また、前記結合部１６の頂結合壁１６４の前縁箇所にはストッパー壁１６６が下方へ向けて延在している。本実施例においては、ハウジング３０の装着前に無線受信素子２０を装着する。まず、図１に示すように、無線受信素子２０を収容ベース１１の底面から収容空間１１０に挿入し、次に回路板２２の後端部を後壁１７の頂ブロック１７６とストップブロック１７８との間に位置させ、そして、回路板２２の先端部を上方へ押圧し、頂ブロック１３２の底部の斜面を介して、頂ブロック１３２の頂面まで移動させる。この際、結合部１６のストッパー壁１６６が回路板２２の頂面に当接するので、回路板２２がさらに上方へシフトすることが回避される。この後、ハウジング３０を組み付ける。
【００１９】
本実施例において、ハウジング３０は、回路板２２と組み合わせてもよく、ハウジング３０の側壁３２に圧接突出部３２４が内方へ向けて突出して設けられてもよい。収容ベース１１をハウジング３０内に挿入する際には、圧接突出部３２４が回路板２２の頂面に水平に摺動可能である。ハウジング３０が組み付けられ、位置決めされた場合には、圧接突出部３２４が無線受信素子２０の回路板２２の頂面に圧接される。また、本実施例においては、圧接突出部３２４によりハウジング３０を無線受信素子２０が有する接地回路に電気的に接続することができる。
【００２０】
上述の説明は本考案の実施例の一つにすぎず、本考案は上述の実施例に限定されるものではない。例えば、握り部材１２の頂縁が、収容ベース１１の頂縁に一体に接続され、握り部材１２の底縁が、収容ベース１１の底縁に係合可能になっていてもよい。この場合、ユーザは、下方から上方へ握り部材１２を回動させることが可能である。
【００２１】
（第２の実施例）
図６に示すように、本実施例においては、ハウジング３０を設けることなく、無線受信素子２０の底面が露出しないように、収容ベース１１’は、前記前壁１３、側壁１５及び後壁１７のそれぞれに接続された底壁１９をさらに含む。この場合、結合部１６は、収容ベース１１’から分離可能であり、無線受信素子２０が収容ベース１１’に組み合わせられた（搭載された）後に、収容ベース１１’の上方に蓋着（装着）される。
【００２２】
また、図６に示すように、握り部材１２’は、収容ベース１１’と分離可能である。本実施例において、搭載本体１０’の握り部材１２’は、収容ベース１１’に分離可能に枢接（接続）されている。握り部材１２’には、例えば一対のＬ字形の枢接部（接続部）１２６が延在され、収容ベース１１’の後壁１７には、上記一対の枢接部１２６に対応する枢接孔（挿入孔）１７３がそれぞれ形成されている。なお、握り部材１２’の枢接部１２６は、上述した形状に限定されず、例えば半円形又はＵ字形の構造であってもよく、その両端がそれぞれ上述収容ベース１１’の枢接孔１７３内に枢接される。
【００２３】
上述したものは、本考案の好ましい実施例の説明に過ぎず、本考案の実施の範囲を限定するためのものではない。本考案の明細書及び図面内容に基づいてなされた均等な変更および付加は、いずれも本考案の実用新案登録請求の範囲内に含まれるものとする。
【符号の説明】
【００２４】
１  無線受信器
１０、１０’  搭載本体
１１、１１’  収容ベース
１１０  収容空間
１２、１２’  握り部材
１２２  係合板
１２４  緩衝槽
１２６  枢接部
１３  前壁
１３２  頂ブロック
１５  側壁
１６  結合部
１６２  側結合壁
１６２０  係合槽
１６４  頂結合壁
１６４０  係合貫通孔
１６６  ストッパー壁
１６８  位置決め部
１７  後壁
１７０  係合凹溝
１７２  係合突出部
１７３  枢接孔
１７６  頂ブロック
１７８  ストップブロック
１９  底壁
２０  無線受信素子
２２  回路板
２４  端子
３０  ハウジング
３２  側壁
３４  頂壁
３２２、３４２  ストッパー片
３２４  圧接突出部
【図１】
0003171294.tif 000003
【図２】
0003171294.tif 000004
【図３】
0003171294.tif 000005
【図４】
0003171294.tif 000006
【図５】
0003171294.tif 000007
【図６】
0003171294.tif 000008
【手続補正書】
【提出日】平成23年8月19日(2011.8.19)
【手続補正１】
【補正対象書類名】実用新案登録請求の範囲
【補正対象項目名】全文
【補正方法】変更
【補正の内容】
【実用新案登録請求の範囲】
【請求項１】
コンピュータの接続ポートに挿設可能な無線受信器であって、
先端側の下方に、上方に向けられた収容空間が凹没して形成された収容ベースと、前記収容ベースの後端部に回動可能に設けられた握り部材とを有する搭載本体と、
前記収容ベースの前記収容空間に収容され、回路板と、前記回路板の頂面に設けられ、  前記接続ポートに電気的に接続するための複数の端子とを有し、コンピュータ周辺装置の信号を受信するための無線受信素子と、
を備えることを特徴とする無線受信器。
【請求項２】
前記収容ベースは、前壁と、後壁と、前記前壁及び前記後壁にそれぞれ接続された一対の側壁とを有し、前記前壁、後壁及び側壁により前記収容空間が画成されていることを特徴とする請求項１に記載の無線受信器。
【請求項３】
前記握り部材の底縁と前記後壁の底縁とは、一体形成により接続されていることを特徴とする請求項２に記載の無線受信器。
【請求項４】
前記収容ベースの前記後壁の頂端部には、係合凹溝と、前記係合凹溝内に位置する係合突出部とが形成され、前記握り部材には、前記係合突出部に係合されるとともに前記係合凹溝に収容される係合板が突出して設けられていることを特徴とする請求項２又は３に記載の無線受信器。
【請求項５】
前記握り部材には、前記係合板に隣接して貫通した緩衝槽がさらに形成されることを特徴とする請求項４に記載の無線受信器。
【請求項６】
前記後壁の底面には、前記握り部材を前記収容ベースとほぼ平行となるように位置決めするための下ストップブロックが下方へ突出して設けられていることを特徴とする請求項２ないし５のいずれかに記載の無線受信器。
【請求項７】
前記前壁及び前記後壁の内側面には、前記回路板を支持するための少なくとも１つの頂ブロックが突出して設けられていることを特徴とする請求項２ないし６のいずれかに記載の無線受信器。
【請求項８】
前記収容ベースに固定されるストッパー片がそれぞれ形成された一対の側壁を有するハウジングをさらに含み、
前記収容ベースは、前記収容ベースの前記一対の側壁の局所から上方へ延在する一対の側結合壁と、前記一対の側結合壁に接続された頂結合壁とを有する結合部をさらに含み、
前記一対の側結合壁には、前記ストッパー片に対応する係合槽がそれぞれ形成されていることを特徴とする請求項２ないし７のいずれかに記載の無線受信器。
【請求項９】
前記頂結合壁には少なくとも１つの係合貫通孔が形成され、前記ハウジングの頂壁には前記係合貫通孔に挿入される少なくとも１つのストッパー片が形成されていることを特徴とする請求項８に記載の無線受信器。
【請求項１０】
前記結合部の前記後壁側には、その外周側に突出して設けられ、前記ハウジングの後端に当接する位置決め部をさらに含むことを特徴とする請求項８又は９に記載の無線受信器。
【請求項１１】
前記無線受信素子は、さらに前記回路板に設けられた接地回路を有し、
前記ハウジングの前記一対の側壁には、さらに前記無線受信素子の前記回路板に当接して、前記接地回路に前記ハウジングを電気的に接続する圧接突出部が内方へ突出して設けられていることを特徴とする請求項８ないし１０のいずれかに記載の無線受信器。
【請求項１２】
前記握り部材は、前記収容ベースに対して分離可能に枢接されていることを特徴とする請求項１ないし１１のいずれかに記載の無線受信器。